(57)【要約】【課題】  爪を痛めることなく装飾を行うことができ、容易に爪の装飾を除去できると共に、自分自身でデザインした装飾で容易に爪を飾ることができる爪の装飾方法を提供する。【解決手段】  本発明は、透明で爪に貼り付けることが可能な爪用シール１を用いた爪の装飾方法であり、爪用シール１は、装飾面２ａを備える透明な基板２と、装飾面２ａの裏面に設けられた透明な接着層（３）と、を備え、爪の装飾方法は、爪用シール１が台紙４に貼着された状態のままで爪用シール１の装飾面２ａに装飾を行う装飾形成ステップと、装飾形成ステップの後、爪用シール１を台紙４から剥がしてユーザーの爪に貼着するシール貼着ステップと、シール貼着ステップの後、爪用シールをユーザーの爪の形状に合わせて切断するシール切断ステップと、を行う。【選択図】    図２
2016049176.tif 000002
【特許請求の範囲】
【請求項１】
透明で爪に貼り付けることが可能な爪用シールを用いた爪の装飾方法であって、
前記爪用シールは、装飾面を備える透明な基板と、前記装飾面の裏面に設けられた透明な接着層と、を備え、
前記爪用シールが台紙に貼着された状態のままで前記爪用シールの前記装飾面に装飾を行う装飾形成ステップと、
前記装飾形成ステップの後、前記爪用シールを前記台紙から剥がしてユーザーの爪に貼着するシール貼着ステップと、
を備えることを特徴とする爪の装飾方法。
【請求項２】
前記装飾形成ステップでは、前記爪用シールの装飾面に紫外線硬化性を有するジェル剤で装飾を行い、装飾が完了した後に前記ジェル剤に紫外線を照射することを特徴とする請求項１に記載の爪の装飾方法。
【請求項３】
前記装飾形成ステップの前に前記爪用シールをユーザーの爪の形状に合わせて切断するシール切断ステップを行うことを特徴とする請求項１又は請求項２に記載の爪の装飾方法。
【請求項４】
前記装飾形成ステップの後であって、前記シール貼着ステップの前に前記爪用シールをユーザーの爪の形状に合わせて切断するシール切断ステップを行うことを特徴とする請求項１又は請求項２に記載の爪の装飾方法。
【請求項５】
前記シール貼着ステップの後、前記爪用シールをユーザーの爪の形状に合わせて切断するシール切断ステップを行うことを特徴とする請求項１又は請求項２に記載の爪の装飾方法。
【請求項６】
前記爪用シールの基板はポリウレタンで形成され、前記接着層はアクリル系の接着剤で形成されていることを特徴とする請求項１乃至請求項５のいずれか１項に記載の爪の装飾方法。
【発明の詳細な説明】
【技術分野】
【０００１】
本発明は、爪用シールを用いた爪の装飾方法に関する。
【背景技術】
【０００２】
爪を装飾する方法としては、マニキュアを塗る、紫外線硬化剤で装飾する（ジェルネイルと呼ばれる。）、装飾済みのシールを爪に貼着するといった方法がある。紫外線硬化剤で装飾する方法は、持久性が高く、気軽に行えるため近年人気となっている。一方で、爪上で硬化した紫外線硬化剤は、アセトンで硬化剤を溶かして柔らかくした後、へらなどで剥がす必要があり、剥がすときに爪を傷つけるという問題点がある。また、アセトンは、揮発性の高い液体であるため、揮発した気体を吸って気分が悪くなることや、液体の取り扱いに失敗して液体を収納している容器が破損し怪我をする恐れがある。
【０００３】
上記のような問題点はマニキュアにおいても生じており、爪を傷つけず、しかも取り扱いが簡単な爪の装飾方法が求められている。特許文献１では、予め爪にシールを貼り付け、シールの上からマニキュアを塗ることで爪を痛めることなく、且つ、簡単に剥がすことができる提案がなされている。
【先行技術文献】
【特許文献】
【０００４】
【特許文献１】実願平３−２４０８４号公報
【発明の概要】
【発明が解決しようとする課題】
【０００５】
上記特許文献１の技術では、爪を痛めることなくマニキュアを塗ることができる。しかしながら、爪にシールを貼り付けてからマニキュアを塗るため、同様の技術を紫外線硬化剤に適用するのは困難である。すなわち、紫外線硬化剤を用いて爪を装飾する場合、マニキュアと違って細かな作業を必要とし、爪に貼り付けた状態で利き手側の爪を装飾しようとしても困難である。このことは、特許文献１の技術を使用する場合に限らず、紫外線硬化剤を用いて爪を装飾する技術全般に共通する課題である。つまり、爪の装飾を専門店などで行うことはできるが、自分自身で気軽に装飾を行うには障害が存在する。また、装飾を施したシールを貼り付けることで爪を装飾する場合、シールを貼り付けるだけであるため自分自身で簡単に爪を装飾できるが、予め販売されている装飾で爪を飾ることができるにすぎず、自分自身で好みの装飾を作成することはできない。
【０００６】
本発明は、このような従来技術の問題点に鑑みてなされたものであり、第１は爪を痛めることなく装飾を行うことができ、容易に爪の装飾を取り除くこともできる、第２は自分自身でデザインした装飾で容易に爪を飾ることができる、爪の装飾方法を提供することを目的としている。
【課題を解決するための手段】
【０００７】
本発明は、透明で爪に貼り付けることが可能な爪用シールを用いた爪の装飾方法である。爪用シールは、装飾面を備える透明な基板と、前記装飾面の裏面に設けられた透明な接着層と、を備える。そして、爪の装飾方法は、爪用シールが台紙に貼着された状態のままで爪用シールの装飾面に紫外線硬化性を有するジェル剤で装飾を行う装飾形成ステップと、装飾が完了した後にジェル剤に紫外線を照射するジェル硬化ステップと、ジェル剤が固まった後に爪用シールを台紙から剥がしてユーザーの爪に貼着するシール貼着ステップと、を備える。
【発明の効果】
【０００８】
本発明の爪の装飾方法によれば、爪に直接装飾をせず、爪用シールを介して装飾を行うため、爪を痛めることなく装飾を除去することができる。また、本発明の爪の装飾方法によれば、所望の装飾を容易に爪に行うことができる。
【図面の簡単な説明】
【０００９】
【図１】本発明の実施形態に係る爪用シールが貼着された台紙の正面図である。
【図２】本発明の実施形態に係る爪用シールの断面斜視図である。
【発明を実施するための形態】
【００１０】
以下、本発明の実施の形態を図に基づいて詳説する。本発明の爪の装飾方法は、後述する爪用シールに紫外線硬化性を有するジェルで装飾を施した後、シールを爪に貼ることを特徴としている。以下、さらに詳細に述べる。
【００１１】
爪用シール１は、図１に示すように、台紙４に複数が貼着されている。台紙４には、ユーザー（本実施形態における爪の装飾方法を使用する人）の親指、人差し指、中指、薬指、小指の爪の大きさに合うように様々なサイズの爪用シール１が貼着されている。
【００１２】
この爪用シール１は、図２に示すように、基板２と、接着剤３と、を備えてなる。基板２は、透明なポリウレタンで形成され、装飾を行う装飾面２ａと、装飾面２ａの裏面である接着面２ｂとを備える。接着面２ｂにはアクリル系の接着剤３が塗布されることにより接着層が形成されている。基板２及び接着剤３は、紫外線による劣化が小さい素材で構成されている。なお、紫外線による劣化が小さいとは、ジェルに紫外線を照射して硬化させるため、照射した紫外線により硬化したり、透明度が落ちたりしない程度のことを意味する。すなわち、接着剤３は、ジェルを硬化させるために紫外線を照射されても、化学的な変化を殆ど起こさない。また、この爪用シール１は、紙用の鋏などで容易に切断可能であり、爪の形状に合わせて容易に変形可能とされている。
【００１３】
以下、この爪用シール１を用いた爪の装飾方法について述べる。本実施形態における爪の装飾方法は、装飾形成ステップと、シール貼着ステップと、シール切断ステップと、からなる。
【００１４】
装飾形成ステップにおいてユーザーは、爪用シール１が台紙４に貼着された状態のままで、装飾面２ａに紫外線硬化剤であるジェルで所望の模様を描く。ジェルは、既に公知の記述であるため、詳細な説明は省略するが、樹脂材料に光重合開始剤が添加されているのが一般的であり、紫外線が照射されると硬化（重合反応）する。模様を描き終えた後、ユーザーは、ジェルに紫外線を照射する。紫外線が照射されたジェルは硬化して爪用シール１に密着する。
【００１５】
装飾形成ステップの後、ユーザーは、シール貼着ステップを行う。このシール貼着ステップにおいてユーザーは、ジェルが硬化したことを確認し、台紙４から爪用シール１を剥がして自分の所望の爪に貼り付ける。
【００１６】
シール貼着ステップの後、ユーザーは、シール切断ステップを行う。シール切断ステップにおいてユーザーは、自分の爪の形状に合わせて爪用シール１を切断する。爪用シール１は、紙用の鋏などで容易に切断することができる。なお、爪用シール１を爪に貼り付ける前に自分の爪の形状に合わせて爪用シール１を切断したり、あるいは、装飾を行う描く前に予め自分の爪の形状に合わせて爪用シール１を切断し、切断した後に装飾を行ったりするものとしてもよい。
【００１７】
すなわち、シール切断ステップは、装飾形成ステップの前、装飾形成ステップの後であってシール貼着ステップの前、シール貼着ステップの後のいずれのタイミングで行ってもよい。
【００１８】
本実施形態における爪の装飾方法によれば、爪の装飾を取り除くには爪用シール１を爪から剥がすだけでよいため、爪を傷つけることなく装飾を除去できる。
【００１９】
また、本実施形態における爪の装飾方法によれば、爪に貼り付ける前に、台紙４に爪用シール１が貼着された状態で装飾できるため、利き手の指の爪であっても容易に装飾することができる。
【００２０】
さらに、本願の発明によれば、耐性に優れた紫外線硬化剤のジェルで装飾を行うため、長期間爪の装飾を維持することができる。
【００２１】
本発明は、以上の実施形態に限定されるものではなく、要旨を変更しない限りあらゆる変更が可能である。例えば、爪用シールに装飾するものとして紫外線硬化性を有するジェルを述べたが、これに限定されず、スカルプチュアなども可能である。
【符号の説明】
【００２２】
１  爪用シール
２  基板
２ａ  装飾面
２ｂ  接着面
３  接着剤
４  台紙
【図１】
2016049176.tif 000003
【図２】
2016049176.tif 000004